(57)【特許請求の範囲】
【請求項１】
管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、
前記ランプピンと電気的に接続されて前記蛍光ランプに電力を供給するランプソケットと、
前記ランプソケットを介して前記蛍光ランプを保持する器具本体と、を備えた照明器具であって、
前記器具本体における前記蛍光ランプに対向する面に、前記口金の側面に当接する凸部を設けたことを特徴とする照明器具。
【請求項２】
管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、
前記ランプピンと電気的に接続されて前記蛍光ランプに電力を供給するランプソケットと、
前記ランプソケットを介して前記蛍光ランプを保持する器具本体と、を備えた照明器具であって、
前記器具本体における前記蛍光ランプに対向する面に、前記ブリッジの底面に当接する凸部を設けたことを特徴とする照明器具。
【請求項３】
前記凸部を、前記ブリッジの中心に対して略対称な位置に複数個設けたことを特徴とする請求項１または２記載の照明器具。
【発明の詳細な説明】
【技術分野】
【０００１】
本発明は、管状の放電路が長手方向中央部を中心として略同一平面に沿って２重渦巻状に旋回された蛍光ランプを有する照明器具に関するものである。
【背景技術】
【０００２】
従来より、放電路が２重渦巻状に旋回された蛍光ランプが知られている（例えば特許文献１参照）。
図７（Ａ）、（Ｂ）に示すように、特許文献１に記載の蛍光ランプ１００は、管状の放電路が長手方向中央部１０１ａを中心として略同一平面に沿って２重渦巻状に旋回された発光管１０１を有しており、裏面（発光面と反対側）において中央部１０１ａを通って発光管１０１の両端部１０１ｂ、１０１ｂを連結するブリッジ１０２が設けられている。また、ブリッジ１０２の中央部には、裏側に突出して口金１０３が設けられており、口金１０３の中央には、ランプピン１０４が設けられている。
【特許文献１】特開２００７−２７３３３０号公報（第１図）
【発明の開示】
【発明が解決しようとする課題】
【０００３】
しかしながら、前述した特許文献１に記載の蛍光ランプ１００では、口金１０３を照明器具のソケットに嵌合させることにより取り付けているので発光管１０１の固定を十分に行うことができない。また、口金１０３に係止爪部を設け、照明器具に設けられているフックに係合して脱落を防止する構造となっているので、口金１０３の構成を複雑にしているという問題があった。
【０００４】
また、図８に示す照明器具１１０のように、２重渦巻状に旋回された発光管１１１の両端部に口金１１２、１１２を設け、両口金１１２、１１２間にブリッジ１１３を設けた蛍光ランプ１１４を用いる場合においては、蛍光ランプ１１４を安定して固定するために、器具本体１１５にランプ支持バネ１１６が設けられている。
このため、部品点数が増加して、照明器具１１０のコストアップを招くという問題があった。
【０００５】
本発明は、従来の問題を解決するためになされたもので、簡単な構成で蛍光ランプを安定して固定することのできコストダウンを図ることができる照明器具を提供することを目的とする。
【課題を解決するための手段】
【０００６】
本発明の照明器具は、管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、前記ランプピンと電気的に接続されて前記蛍光ランプに電力を供給するランプソケットと、前記ランプソケットを介して前記蛍光ランプを保持する器具本体と、を備えた照明器具であって、前記器具本体における前記蛍光ランプに対向する面に、前記口金の側面に当接する凸部を設けた構成を有している。
【０００７】
この構成により、器具本体における蛍光ランプに対向する面に、蛍光ランプの口金の側面に当接する凸部を設けたので、放電路が長手方向中央部を中心として略同一平面に沿って２重渦巻状に旋回された発光管を有する蛍光ランプをランプソケットに取付けた際に、別途保持手段を設けることなく、蛍光ランプを保持することができ、照明器具の簡素化およびコストダウンを図ることができる。
【０００８】
また、本発明の照明器具は、  管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、前記ランプピンと電気的に接続されて前記蛍光ランプに電力を供給するランプソケットと、前記ランプソケットを介して前記蛍光ランプを保持する器具本体と、を備えた照明器具であって、前記器具本体における前記蛍光ランプに対向する面に、前記ブリッジの底面に当接する凸部を設けた構成を有している。
【０００９】
この構成により、器具本体における蛍光ランプに対向する面に、蛍光ランプのブリッジの底面に当接する凸部を設けたので、放電路が長手方向中央部を中心として略同一平面に沿って２重渦巻状に旋回された発光管を有する蛍光ランプをランプソケットに取付けた際に、別途保持手段を設けることなく、蛍光ランプを保持することができ、照明器具の簡素化およびコストダウンを図ることができる。
【００１０】
さらに、本発明の照明器具は、前記凸部を、前記ブリッジの中心に対して略対称な位置に複数個設けた構成を有している。
【００１１】
この構成により、蛍光ランプをブリッジの中心に対して略対称な位置で支持するので、安定性を高めることができる。
【発明の効果】
【００１２】
本発明は、器具本体における蛍光ランプに対向する面に、蛍光ランプの口金の側面に当接する凸部を設けたので、放電路が長手方向中央部を中心として略同一平面に沿って２重渦巻状に旋回された発光管を有する蛍光ランプをランプソケットに取付けた際に、別途保持手段を設けることなく、蛍光ランプを保持することができ、照明器具の簡素化およびコストダウンを図ることができるものである。
【発明を実施するための最良の形態】
【００１３】
以下、本発明の実施の形態の照明器具について、図面を用いて説明する。
図１は本発明の第１実施形態にかかる照明器具を示す分解斜視図、図２（Ａ）は平面らせん形蛍光灯の平面図、図２（Ｂ）は図２（Ａ）中Ｂ方向から見た正面図、図３はランプソケットの斜視図、図４は平面らせん形蛍光灯を取付けた状態を示す断面図である。
【００１４】
図１に示すように、本発明にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１５】
また、底板１２の中央部および他方の端部よりには、蛍光ランプとしての平面らせん形蛍光灯２０の照明光をパネル１３側に反射して照明効率を向上させる反射板１６が設けられており、反射板１６の上面に、平面らせん形蛍光灯２０を装着するための一対のランプソケット１７、１７が取付けられている。これらランプソケット１７、１７は、電源線（図示省略）によって、点灯装置１４に接続されている。そして、平面らせん形蛍光灯２０に対向する面である反射板１６の上面において、平面らせん形蛍光灯２０をランプソケット１７に装着した際に口金２３位置に該当する位置には、口金２３の側面に当接する凸部１８が突出して設けられている。なお、凸部１８は、ブリッジ２４の中心に対して略対称な位置に複数個設けるのが望ましい。例えば、両口金２３、２３の外側面の同じ場所に当接するように設けることができる。
【００１６】
図２に示すように、平面らせん形蛍光灯２０は、管状の放電路が長手方向中央部２２ａを始点として同一平面に沿って２重渦巻状に旋回された発光管２２を有しており、発光管２２の中央部２２ａは、その他の部分に比して太径となっており、最冷点となっている。発光管２２の両端部にはそれぞれ口金２３、２３が取付けられており、両口金２３、２３は、発光管２２の中央部２２ａに対して、点対称の位置に設けられている。なお、両口金２３、２３は、照射方向と反対側の裏面に設けられたブリッジ２４によって連結されている。また、各口金２３、２３には、平面らせん形蛍光灯２０の平面に直交する方向に一対のランプピン２１が、発光管２２の軸方向に沿って突出して設けられている。
【００１７】
図３に示すように、ランプソケット１７は、例えば円柱状の本体１７ａを有しており、本体１７ａにはランプピン２１を挿入するためのランプピン挿入溝１７ｂが設けられている。ランプピン挿入溝１７ｂの内部には、一対のランプピン２１、２１を保持して導通するために一対の導電板１７ｃ、１７ｃが設けられている。また、本体１７ａの外周面に沿ってランプピン挿入溝１７ｂを閉じる開閉蓋１７ｄが設けられている。
【００１８】
従って、平面らせん形蛍光灯２０を器具本体１２に取付ける際には、平面らせん形蛍光灯２０の両端の口金２３、２３に設けられているランプピン２１、２１をランプソケット１７のランプピン挿入溝１７ａに位置決めする。そして、平面らせん形蛍光灯２０をランプソケット１７の内部に挿入して、口金２３の側面を反射板１６に設けられている凸部１８に当接させ、ランプソケット１７の取っ手１７ｅを操作して開閉蓋１７ｄを閉じることにより固定する。
【００１９】
以上、説明した照明器具１０によれば、器具本体１２における平面らせん形蛍光灯２０に対向する面に、平面らせん形蛍光灯２０の口金２３の側面に当接する凸部１８を設けたので、平面らせん形蛍光灯２０をランプソケット１７に取付けた際に、別途保持手段を設けることなく、平面らせん形蛍光灯２０を保持することができ、照明器具１０の簡素化およびコストダウンを図ることができる。また、凸部１８によって平面らせん形蛍光灯２０をブリッジの中心に対して略対称な位置で支持するので、安定性を高めることができる。
【００２０】
次に、本発明の第２の実施の形態について、図面を用いて説明する。
図５は本発明の第２実施形態にかかる照明器具を示す分解斜視図、図６は装着された平面らせん形蛍光灯の支持状態を示す断面図である。なお、前述した第１実施形態にかかる照明器具と共通する部位には同じ符号を付して、重複する説明を省略することとする。
【００２１】
図５および図６に示すように、本発明の第２実施形態にかかる照明器具１０Ｂは、器具本体１２における平面らせん形蛍光灯２０に対向する面である反射板１６に、平面らせん形蛍光灯２０のブリッジ２４の底面２４ａに当接する凸部１９を設けたものである。なお、凸部１９、１９を、ブリッジ２４の中心（図５中点Ｐ）に対して略対称な位置に複数個設けるのが望ましい。
【００２２】
以上、説明した照明器具１０Ｂによれば、器具本体１２における平面らせん形蛍光灯２０に対向する面である反射板１６（図５中２点鎖線で表示する部分）に、平面らせん形蛍光灯２０のブリッジ２４の底面２４ａに当接する凸部１９を設けたので、平面らせん形蛍光灯２０をランプソケット１７に取付けた際に、別途保持手段を設けることなく、平面らせん形蛍光灯２０を保持することができ、照明器具１０Ｂの簡素化およびコストダウンを図ることができる。また、凸部１９によって平面らせん形蛍光灯２０をブリッジの中心に対して略対称な位置で支持するので、安定性を高めることができる。
【００２３】
なお、本発明の照明器具は、前述した各実施形態に限定されるものでなく、適宜な変形，改良等が可能である。
例えば、前述した各実施形態においては、矩形箱状の器具本体１２を例示したが、これに限らず、例えば円形箱状等にも適用できる。
【図面の簡単な説明】
【００２４】
【図１】本発明の第１実施形態にかかる照明器具を示す分解斜視図
【図２】（Ａ）は平面らせん形蛍光灯の平面図、（Ｂ）は（Ａ）中Ｂ方向から見た正面図
【図３】ランプソケットの斜視図
【図４】平面らせん形蛍光灯を取付けた状態を示す断面図
【図５】本発明の第２実施形態にかかる照明器具を示す分解斜視図
【図６】装着された平面らせん形蛍光灯の支持状態を示す断面図
【図７】従来の照明器具に用いられている蛍光ランプの一例であり、（Ａ）は発光面側から見た斜視図、（Ｂ）は発光面と反対側から見た斜視図
【図８】従来の照明器具に用いられている蛍光ランプの別の例を示す側面図
【符号の説明】
【００２５】
１０、１０Ｂ  照明器具
１２  器具本体
１６  反射板（対向する面）
１７  ランプソケット
１８、１９  凸部
２０  平面らせん形蛍光灯（蛍光ランプ）
２１  ランプピン
２２  発光管
２２ａ  中央部
２３  口金
２４  ブリッジ
２４ａ  底面
【図１】
0004951539.tif 000002
【図２】
0004951539.tif 000003
【図３】
0004951539.tif 000004
【図４】
0004951539.tif 000005
【図５】
0004951539.tif 000006
【図６】
0004951539.tif 000007
【図７】
0004951539.tif 000008
【図８】
0004951539.tif 000009